(57)【要約】【課題】外観がシンプルな形状でありながら、携帯型の電子機器を収容するだけでなく、それ以外の複数の携行品を収容することができる電子機器用ケースを提供する。【解決手段】保護ケース１０は、スマートフォン１１の背面側の背面部１１Ａに嵌め入れられて装着されるケース本体２１と、ケース本体２１に取り付けられるカバー２２とを備えている。ケース本体２１のベース部３１にカバー２２が軸支されている。カバー２２とベース部３１との間に収容スペース４３が形成されている。ベース部３１の裏面には凹陥部５０が形成されており、凹陥部５０の内部に収容スペース５３が形成されている。【選択図】図３
2016046696.tif 000002
【特許請求の範囲】
【請求項１】
携帯型の電子機器に装着される電子機器用ケースであって、
前記電子機器の装着時に前記電子機器の背面部を覆うベース部を有し、前記電子機器の背面部及び側面部を収容可能なケース本体と、
前記ベース部の表面において所定方向の一方側に設けられ、前記ベース部の表面を覆う第１姿勢と前記ベース部の表面から離間する第２姿勢との間で姿勢変化に可能に構成され、前記第１姿勢にある状態で前記ベース部の表面との間に第１収容空間を形成するカバー部と、
前記ベース部の裏面において前記所定方向の他方側に設けられ、内部に第２収容空間を形成する凹陥部と、を備える電子機器用ケース。
【請求項２】
前記ベース部は、前記ベース部の表面を前記ケース本体の厚みサイズが小さい第１平坦面及び前記第１平坦面よりも前記厚みサイズが大きい第２平坦面に区分する段差部を有し、
前記第１平坦面に前記カバー部が設けられており、前記ベース部の裏面において前記第２平坦面に対応する位置に前記凹陥部が設けられている請求項１に記載の電子機器用ケース。
【請求項３】
前記カバー部は、前記段差部側を回動支点として、前記第１姿勢と前記第２姿勢との間で回動可能に支持されている請求項２に記載の電子機器用ケース。
【請求項４】
前記ケース本体は、薄型の直方体形状の前記電子機器を収容可能に構成されており、
前記ベース部は、前記直方体形状に対応して長方形状に形成されており、
前記所定方向は、前記ベース部の長手方向であり、
前記段差部は、前記ベース部の表面を前記長手方向に前記第１平坦面と前記第２平坦面とに区分するものである請求項２又は３に記載の電子機器用ケース。
【請求項５】
前記段差部は、前記第１平坦面に前記カバー部が設けられて前記第１姿勢にされた状態で、前記第２平坦面と前記カバー部の表面とが同一面となるように形成されている請求項２から４のいずれかに記載の電子機器用ケース。
【請求項６】
前記ベース部の前記第２平坦面側に前記電子機器が備えるレンズを露出させる貫通孔が形成されており、前記貫通孔は前記凹陥部の底面を貫通している請求項２から５のいずれかに記載の電子機器用ケース。
【請求項７】
前記凹陥部を閉塞する蓋部を更に備え、
前記蓋部は、前記凹陥部を閉塞した閉塞状態において前記貫通孔を前記第２収容空間から空間分離する隔壁を有する請求項６に記載の電子機器用ケース。
【請求項８】
前記カバー部における前記ベース部の表面に対向される対向面にミラーが取り付けられている請求項１から７のいずれかに記載の電子機器用ケース。
【発明の詳細な説明】
【技術分野】
【０００１】
本発明は、電子機器の背面側に装着される電子機器用ケースに関する。
【背景技術】
【０００２】
携帯電話やスマートフォン、タブレット端末などのように携帯して使用される携帯型の電子機器が知られている。この種の電子機器に用いられるケースとして、電子機器を安定姿勢で保持可能なものや、電子機器を横置きにも縦置きにもできるもの、道具を収容可能な空間を有するものなどのように、単なるケースではなく、他の機能を備える種々のタイプのケースが提案されている（例えば、特許文献１〜３参照）。
【先行技術文献】
【特許文献】
【０００３】
【特許文献１】特開２０１４−１４３５８６号公報
【特許文献２】特開２０１４−１０７６５４号公報
【特許文献３】実用新案登録第３１８９０４１号公報
【発明の概要】
【発明が解決しようとする課題】
【０００４】
ところで、スマートフォンやタブレット端末などの電子機器は、衣服のポケットやカバンなどに入れて所持されるものであり、常に、ユーザーの身近に置かれるものである。また、近年、クレジットカードや、乗車時に使用される非接触タイプのＩＣカード乗車券、データを保管するためのメモリーカードと称されるカード型のフラッシュメモリー、各種プリペイドカード、電話番号を特定するために携帯電話機に装着されるＳＩＭカードなど、様々なタイプのカードやメモリー等をユーザーは普段から携帯して所持する傾向にある。もちろん、ユーザーが携帯して所持する携行品は、前記カードや前記メモリーに限られず、種々のタイプのものが考えられる。このような携行品は、前記電子機器とともに携帯されるものであるが、従来、ユーザーは、それぞれを個別に携帯して所持していた。
【０００５】
本発明は前記事情に鑑みてなされたものであり、その目的は、外観がシンプルな形状でありながら、携帯型の電子機器を収容するだけでなく、それ以外の複数の携行品を収容することができる電子機器用ケースを提供することにある。
【課題を解決するための手段】
【０００６】
本発明は、携帯型の電子機器に装着される電子機器用ケースである。この電子機器用ケースは、ケース本体と、カバー部と、凹陥部と、を備える。前記ケース本体は、前記電子機器の装着時に前記電子機器の背面部を覆うベース部を有し、前記電子機器の背面部及び側面部を収容可能に構成されている。前記カバー部は、前記ベース部の表面において所定方向の一方側に設けられ、前記ベース部の表面を覆う第１姿勢と前記ベース部の表面から離間する第２姿勢との間で姿勢変化に可能に構成され、前記第１姿勢にある状態で前記ベース部の表面との間に第１収容空間を形成する。前記凹陥部は、前記ベース部の裏面において前記所定方向の他方側に設けられており、内部に第２収容空間を形成するものである。
【０００７】
このように構成さているため、電子機器をケース本体の収容することができ、更に、前記第１収容空間及び前記第２収容空間それぞれにもユーザーが所望する携行品を収容することができる。これにより、ユーザーは、電子機器及び複数の携行品を同時に携行して所持することができる。なお、携行品としては、クレジットカードや、ＩＣカード乗車券、メモリーカード、各種プリペイドカード、ＳＩＭカードなどが考えられる。また、これらの携行品以外に、前記第１収容空間及び第２収容空間には、香料や薫料、薬、化粧品などのようなものも収容可能である。
【０００８】
ここで、前記ベース部は、前記ベース部の表面を前記ケース本体の厚みサイズが小さい第１平坦面及び前記第１平坦面よりも前記厚みサイズが大きい第２平坦面に区分する段差部を有するものが考えられる。この場合、前記第１平坦面に前記カバー部が設けられており、前記ベース部の裏面において前記第２平坦面に対応する位置に前記凹陥部が設けられていることが好ましい。
【０００９】
また、前記カバー部は、前記段差部側を回動支点として、前記第１姿勢と前記第２姿勢との間で回動可能に支持されている構成が良い。
【００１０】
また、前記ケース本体は、薄型の直方体形状の前記電子機器を収容可能に構成されている。前記ベース部は、前記直方体形状に対応して長方形状に形成されている。前記所定方向は、前記ベース部の長手方向である。この場合、前記段差部は、前記ベース部の表面を前記長手方向に前記第１平坦面と前記第２平坦面とに区分するものが好ましい。
【００１１】
また、前記段差部は、前記第１平坦面に前記カバー部が設けられて前記第１姿勢にされた状態で、前記第２平坦面と前記カバー部の表面とが同一面となるように形成されている。これにより、電子機器用ケースの美感が損なわれない。
【００１２】
また、前記ベース部の前記第２平坦面側に前記電子機器が備えるレンズを露出させる貫通孔が形成されており、前記貫通孔は前記凹陥部の底面を貫通している。
【００１３】
また、本発明の電気機器用ケースは、前記凹陥部を閉塞する蓋部を更に備えている。この場合、前記蓋部は、前記凹陥部を閉塞した閉塞状態において前記貫通孔を前記第２収容空間から空間分離する隔壁を有することが好ましい。
【００１４】
また、前記カバー部における前記ベース部の表面に対向される対向面にミラーが取り付けられていると、ユーザーの使用勝手が向上するため好ましい。
【発明の効果】
【００１５】
本発明の電子機器用ケースであれば、外観がシンプルな形状とすることができ、しかも、シンプルな形状でありながら、携帯型の電子機器を収容するだけでなく、それ以外の複数の携行品を収容することができる。
【図面の簡単な説明】
【００１６】
【図１】本発明の実施形態に係るスマートフォン用の保護ケースの構成を示す斜視図である。
【図２】図１の保護ケースのカバーを開けた状態を示す斜視図である。
【図３】図１の保護ケースの凹陥部の蓋を取り外した状態を示す斜視図である。
【図４】図１の切断線ＩＶ−ＩＶの断面図であり、保護ケースのケース本体の断面構造を模式的に示している。
【発明を実施するための形態】
【００１７】
以下、適宜図面を参照して本発明の実施形態について説明する。なお、以下に説明される実施形態は本発明を具体化した一例にすぎず、本発明の要旨を変更しない範囲で、本発明の実施形態は適宜変更できる。
【００１８】
図１は、保護ケース１０の構成を示す図であり、図１の（Ａ）には保護ケース１０の表面側が示されており、（Ｂ）には保護ケース１０の裏面側が示されている。図１に示されるように、本発明の実施形態に係るスマートフォン用の保護ケース１０は、タッチパネルなどの表示操作部が正面に設けられたスマートフォン１１（図４参照）に着脱可能に取り付けられるものであり、本発明の電子機器用ケースの一例である。なお、本実施形態では、本発明の電子機器用ケースの一例として、スマートフォン１１に装着される保護ケース１０を例示するが、本発明の電子機器用ケースは、スマートフォン１１に限られず、携帯電話やタブレット端末などの電子機器、特に平板形状の電子機器に適用可能である。
【００１９】
保護ケース１０は、スマートフォン１１の背面側の背面部１１Ａ（図４参照）に嵌め入れられて装着されるケース本体２１と、ケース本体２１に取り付けられるカバー２２（カバー部の一例）とを備えている。保護ケース１０は、ケース本体２１とカバー２２とを組み合わせたものとして構成されている。保護ケース１０は、例えば、合成樹脂を材料として射出成型することによって得られる。
【００２０】
ケース本体２１は、ベース部３１と、ベース部３１の外周縁から垂直に起立した側壁３２とを有する。ベース部３１は、スマートフォン１１の外形に沿った形状に形成されている。本実施形態では、スマートフォン１１は、薄型で、直方体形状に形成されている。このため、ベース部３１は、スマートフォン１１の形状に対応して、長方形状に形成されている。ベース部３１は、ケース本体２１がスマートフォン１１に装着された状態で、スマートフォン１１の背面部１１Ａに対面し、当該背面部１１Ａを覆う。
【００２１】
図１（Ｂ）に示されるように、側壁３２は、ベース部３１の外周縁に部分的に設けられている。側壁３２が設けられていない部分は、スマートフォン１１が装着された状態で、スマートフォン１１に付属する操作部（例えばボリュームキー、電源スイッチ）や接続端子部（例えばイヤホン端子や電源端子、通信端子）などが露出される部分である。ケース本体２１は、ベース部３１と側壁３２とによって囲まれた収容スペース３３にスマートフォン１１を収容し、スマートフォン１１の背面部１１Ａや側面部を覆う。言い換えると、ケース本体２１は、スマートフォン１１の背面部１１Ａ及び側面部を収容スペース３３に収容可能に構成されている。
【００２２】
図２は、保護ケース１０のカバー２２が開けられた状態を示す。図２に示されるように、ベース部３１の表面３５にカバー２２が設けられている。具体的には、カバー２２は、ベース部３１の表面３５において、ベース部３１の長手方向の一方側（矢印Ｄ１側）の平坦面３５Ａに設けられている。ここで、ベース部３１の長手方向が本発明の所定方向に相当する。カバー２２は、ベース部３１の平坦面３５Ａ（本発明の第１平坦面に相当）を覆う閉姿勢（図１（Ａ）に示す姿勢）と、ベース部３１の平坦面３５Ａから離間してベース部３１に対してカバー２２が開く開姿勢（図２に示す姿勢）との間で回動可能なようにベース部３１に支持されている。ここで、前記閉姿勢は本発明の第１姿勢に相当し、前記開姿勢は本発明の第２姿勢に相当する。本実施形態では、カバー２２が前記閉姿勢にされた状態で、カバー２２とベース部３１の平坦面３５Ａとの間に収容スペース４３（第１収容空間の一例）が形成されるように、保護ケース１０が構成されている。
【００２３】
図２に示されるように、ベース部３１は、段差部３８を有する。段差部３８は、ベース部３１の短手方向（図２において矢印Ｄ４の方向）に延設している。段差部３８は、ベース部３１の表面３５を矢印Ｄ１側の平坦面３５Ａと、矢印Ｄ２側の平坦面３５Ｂ（本発明の第２平坦面に相当）との区分している。ここで、図２において、矢印Ｄ１は、ベース部３１の長手方向の一方側の向きを示しており、矢印Ｄ２は、前記長手方向の他方側の向き、つまり、矢印Ｄ１とは反対側の向きを示している。平坦面３５Ａは、ケース本体２１の厚さ方向（図２において矢印Ｄ３の方向）のサイズ（厚みサイズ）が平坦面３５Ｂよりも小さい。また、平坦面３５Ｂは、平坦面３５Ａよりも前記厚みサイズが大きい。言い換えると、平坦面３５Ａは平坦面３５Ｂよりも低い。平坦面３５Ａと平坦面３５Ｂとの厚みサイズの差が段差部３８によって生じている。本実施形態では、段差部３８は、ベース部３１の表面３５において、前記長手方向の中央よりも矢印Ｄ２で示される側に配置されている。つまり、平坦面３５Ａの面積は、平坦面３５Ｂよりも大きい。
【００２４】
上述したように、カバー２２は、平坦面３５Ａに設けられている。より詳細には、カバー２２は、平坦面３５Ａにおいて、段差部３８側を回動支点として、前記閉姿勢と前記開姿勢との間で回動可能に支持されている。カバー２２の段差部３８側の端部の両側それぞれには支軸（不図示）が形成されている。また、段差部３８における前記短手方向の両端部それぞれには、前記支軸が挿入されて軸支される軸孔（不図示）が形成されている。前記支軸及び前記軸孔によって、カバー２２が段差部３８の短手方向の両端部に回動可能に支持されている。
【００２５】
カバー２２には、ミラー４０が取り付けられている。ミラー４０は、カバー２２の裏面に取り付けられている。言い換えると、カバー２２におけるベース部３１の平坦面３５Ａに対向される対向面、つまり、カバー２２が前記閉姿勢にされたときに平坦面３５Ａに対向する対向面にミラー４０が取り付けられている。ミラー４０は、カバー２２の裏面の概ね全域を占めるサイズであり、カバー２２と概ね同じ長方形状に形成されている。このミラー４０は、カバー２２の裏面に固定されている。ミラー４０の固定手段としては、接着剤による固定、或いは、スナップフィット等による固定などが適用可能である。
【００２６】
図２に示されるように、平坦面３５Ａには、平坦面３５Ａの外周縁に沿って延びる環状のリブ３９が形成されている。リブ３９の高さは、１〜２ｍｍ程度であり、概ね、クレジットカードや各種ＩＣカードなどの厚みと同じサイズに設定されている。リブ３９と平坦面３５Ａとによって囲まれた矩形状の空間が収容スペース４３である。具体的には、カバー２２が前記閉姿勢にされたときに、カバー２２のミラー４０とリブ３９の頂部とが当接し、これにより、カバー２２のミラー４０とリブ３９と平坦面３５Ａとによって囲まれた収容スペース４３が形成される。この収容スペース４３は、クレジットカードや、ＩＣカード乗車券、メモリーカード、各種プリペイドカードなどのプレート状の携行品７１（図４参照）が収容可能なサイズ及び深さに形成されている。つまり、保護ケース１０においては、図４に示されるように、これらプレート状の携行品７１を収容スペース４３に収容することが可能である。なお、リブ３９の高さ、つまり、収容スペース４３の深さは、上述のサイズに限られない。
【００２７】
なお、非接触タイプのＩＣカードなどを収容スペース４３に収容する場合は、収容スペース４３の底面に、電磁波を遮蔽可能なシート（電磁波シールドシート）を貼り付けておくことが好ましい。
【００２８】
リブ３９のうち、ベース部３１の長手方向に対向する各リブ３９Ａには爪部３９Ｂが設けられている。爪部３９Ｂは、リブ３９Ａから平坦面３５Ａに沿って水平方向へ突出している。爪部３９Ｂは、リブ３９Ａの中央部に設けられており、それぞれ、収容スペース４３の中央へ向けて突出している。これら爪部３９Ｂは、収容スペース４３に収容されたプレート状の携行品７１を抜けないように固定する役割を担っている。例えば、図４に示されるように、収容スペース４３にプレート状の携行品７１（例えばＩＣカード）が収容された状態で、携行品７１の長手方向の両端部が爪部３９Ｂと平坦面３５Ａとの間に挟み込まれる。これにより、携行品７１の抜けが防止される。
【００２９】
平坦面３５Ａの矢印Ｄ１側の端部には、カバー２２を前記閉姿勢で保持する２つの係合爪４２が形成されている。係合爪４２は前記短手方向に隔てられている。この係合爪４２は、カバー２２が前記閉姿勢にされたときに、カバー２２の自由端側の端部と係合して、カバー２２を前記閉姿勢に保持する。なお、係合爪４２による係合は、カバー２２が開方向へ操作されることにより、カバー２２が係合爪４２から抜ける方向へ撓まされることにより解除される。
【００３０】
図１（Ａ）に示されるように、段差部３８は、平坦面３５Ａに対してカバー２２が前記閉姿勢にされた状態で、平坦面３５Ｂとカバー２２の表面２２Ａとが同一面となるように形成されている。具体的には、段差部３８の段差（平坦面３５Ａと平坦面３５Ｂとの高さ方向の差）は、カバー２２の厚みと概ね同じサイズとなっている。
【００３１】
図３（Ａ）は、ケース本体２１の裏面の構成を示す。図３に示されるように、ベース部３１の裏面３６に凹陥部５０が形成されている。具体的には、凹陥部５０は、ベース部３１の裏面３６において、ベース部３１の長手方向の他方側（矢印Ｄ２側）に設けられている。凹陥部５０は、ベース部３１の裏面３６において、平坦面３５Ｂに対応する位置に設けられている。本実施形態では、凹陥部５０は、裏面３６における矢印Ｄ２側の端部に形成されている。凹陥部５０は、ベース部３１を平坦面３５Ｂ側へ凹状に形成された部分であり、内部に収容スペース５３（第２収容空間の一例）が形成されている。凹陥部５０の深さは１〜２ｍｍ程度であり、概ね、ＳＩＭカードやメモリーカードなどの厚みと同じサイズに設定されている。言い換えると、収容スペース５３は、ＳＩＭカードやメモリーカードなどが収容可能なサイズ及び深さに形成されている。つまり、保護ケース１０においては、図４に示されるように、これらＳＩＭカードやメモリーカードなどの携行品７２を収容スペース５３に収容することが可能である。この凹陥部５０には、蓋部５５が設けられている。蓋部５５は、凹陥部５０の開口に嵌め入れられることにより、凹陥部５０を閉塞する。なお、収容スペース５３の深さは、上述のサイズに限られない。
【００３２】
本実施形態では、凹陥部５０の底面５２に、ＳＩＭカードに対応する形状のリブ５８が形成されている。リブ５８は、凹陥部５０の矢印Ｄ２側の内壁５０Ａに連接しており、内壁５０Ａとリブ５８とによって、ＳＩＭカードが収容可能なスペースが区画される。このため、リブ５８によって囲まれたスペースにＳＩＭカードを確実に固定することができる。なお、リブ５８は、ケース本体２１の厚さ方向（図２において矢印Ｄ３の方向）において、後述する貫通孔５４や貫通孔５７と重複しないように、前記短手方向（矢印Ｄ４の方向）へずらされた位置に配置されている。
【００３３】
図１（Ｂ）及び図３に示されるように、ベース部３１の平坦面３５Ｂ側に貫通孔５４が形成されている。貫通孔５４は、ベース部３１を前記高さ方向に貫通している。貫通孔５４は、概ね楕円形状に形成されている。貫通孔５４は、スマートフォン１１の背面部１１Ａに備えられたレンズ（例えばカメラ用のレンズ、或いは、照明ライト用のレンズ）を外部に露出させるための露出窓である。この貫通孔５４は、凹陥部５０の底面５２を貫通している。
【００３４】
また、蓋部５５にも、貫通孔５４に対応する位置に貫通孔５４と同じ形状の貫通孔５７が形成されている。図３（Ｂ）に示されるように、蓋部５５の裏面には、貫通孔５７を囲むように環状の隔壁５９が形成されている。ここで、図３（Ｂ）は、蓋部５５の裏面の構成を示す。隔壁５９の高さサイズは、凹陥部５０の深さと同じサイズである。隔壁５９は、蓋部５５が凹陥部５０を閉塞した閉塞状態において、貫通孔５４から貫通孔５７までの間の空間を収容スペース５３から分断する役割を担う。つまり、隔壁５９は、前記閉塞状態において、貫通孔５４から貫通孔５７までの間の空間と収容スペース５３とを分離する。
【００３５】
このように保護ケース１０が構成されているため、保護ケース１０のケース本体２１の収容スペース３３にスマートフォン１１を収容することができる。これにより、スマートフォン１１を落下などの衝撃から保護することができる。また、上述したように、保護ケース１０には、収容スペース４３と収容スペース５３とが区画形成されている。そのため、収容スペース４３及び収容スペース５３それぞれに、ユーザーが携行して所持する携行品を収容することができる。特に、収容スペース４３には、クレジットカードや、ＩＣカード乗車券、メモリーカード、各種プリペイドカードなどのプレート状の携行品７１（図４参照）が収容可能であり、収容スペース５３には、ＳＩＭカードやメモリーカードなどの携行品７２（図４参照）が収容可能であるため、ユーザーは保護ケース１０に大きさの異なる２種の携行品を収容することができる。また、収容スペース４３に非接触タイプのＩＣカードが収容されている場合は、保護ケースを読取部にかざすことにより、前記ＩＣカードが読み取られるため、便利である。また、所謂ＳＩＭロックがかかっていないスマートフォン１１を利用するユーザーにとっては、複数のＳＩＭカードを所持することがあるが、使用していないＳＩＭカードをスマートフォン１１とともに保護ケース１０の収容スペース５３に収容することができるので、ＳＩＭカードを紛失することがなく、また、ＳＩＭカードを入れ換える際にすぐに収容しているＳＩＭカードと入れ換えることが可能である。
【００３６】
また、凹陥部５０には蓋部５５が取り付けられており、その蓋部５５には隔壁５９が設けられているため、スマートフォン１１にカメラや照明ライト用のレンズが設けられている場合であって、凹陥部５０に貫通孔５４が形成されている場合であっても、収容スペース５３内の携行品が貫通孔５４から外部に露出されることもなく、また、貫通孔５４からこぼれ落ちることもない。もちろん、外部から貫通孔５４を通じて収容スペース５３に塵埃などの異物や雨などが入り込むこともない。
【００３７】
なお、上述の実施形態では、収容スペース４３や収容スペース５３に収容される携行品を具体的に例示したが、収容される携行品はこれらに限定されない。すなわち、収容スペース４３や収容スペース５３には、香料や薫料、薬、化粧品などのようなものも収容可能である。香料や糞料を収容させた場合は、スマートフォン１１を使用するためにカバンやポケットから取り出す度に香りが周囲に漂うため好ましい。特に、香料や薫料、薬などの携行品は、こぼれ落ちることがないように、蓋部５５を有する凹陥部５０の収容スペース５３に収容することが好ましい。なお、香料や糞料が収容スペース５３に収容されることを想定して、凹陥部５０の底面５２に、香りを外部へ導く微小孔が形成されていてもよい。
【００３８】
また、上述の実施形態では、カバー２２をベース部３１に回動可能に支持された例について説明したが、カバー２２の支持機構は上述の構成に限られない。例えば、ベース部３１に対してカバー２２をスライド可能に支持し、カバー２２に対してスライド操作された場合に、カバー２２を前記閉位置と前記開位置とに移動させる支持構成であってもよい。なお、カバー２２のスライド支持機構としては、レール及びレールガイドを用いた周知のレール支持機構が適用可能である。
【符号の説明】
【００３９】
１０        ：保護ケース
１１        ：スマートフォン
１１Ａ      ：背面部
２１        ：ケース本体
２２        ：カバー
３１        ：ベース部
３３        ：収容スペース
３５Ａ      ：平坦面
３５Ｂ      ：平坦面
３８        ：段差部
４０        ：ミラー
４３        ：収容スペース
５０        ：凹陥部
５２        ：底面
５３        ：収容スペース
５５        ：蓋部
５９        ：隔壁
【図１】
2016046696.tif 000003
【図２】
2016046696.tif 000004
【図３】
2016046696.tif 000005
【図４】
2016046696.tif 000006